(57)【特許請求の範囲】
【請求項１】
カードが挿入されるボディに、このボディに挿入されてきたカードに係合して前方へ押し込まれるスライダが、後方に向けて弾発付勢された状態で前後にスライド自在に保持され、
カム部とこのカム部に倣うピンを備えたピン部材との組み合わせでなるカム機構の上記カム部と上記ピン部材とが上記スライダと上記ボディとに振り分けて配備され、上記カム部は、上記ピンをこのカム部の前方へ案内する溝形往路と、その溝形往路の終点に位置して上記ピンを係止する係止部と、その係止部を始点として上記ピンをこのカム部の後方へ案内することにより上記ピン部材に無理な変形を強いることなく上記溝形往路の始点に導く溝形復路とを有し、
上記スライダに、正規姿勢でボディに挿入された上記カードの幅方向片側に設けられている凹所に嵌合してそのカードをスライダに対して位置決めする係合体とこの係合体を上記凹所に対する嵌入方向に常時付勢する弾性体とが設けられていると共に、上記係合体が、正規姿勢でボディに挿入されてきたカードの幅方向片側端面を乗り上がらせるための後側ガイド面と、この係合体が上記凹所に嵌合している状態からカードがスライダの後方へ引張られたときにそのカードの幅方向片側端面を乗り上がらせるための前側ガイド面とを有してなるカードコネクタにおいて、
上記係合体の後側ガイド面は、上記係合体が裏返し姿勢でボディに挿入されてきたカードの幅方向他側端面を乗り上がらせる機能を有し、上記カム部に、上記溝形復路に連続して上記溝形往路の始点の側部に至る退避路が追加されていると共に、上記ボディに裏返し姿勢で挿入されてきたカードの幅方向他側端面を乗り上がらせた上記係合体が上記弾性体による付勢に抗して側方へ退避するのに伴って、上記ピン部材を押して上記溝形往路の始点に位置する上記ピンを上記退避路へ押し出す押圧部が、その係合体に設けられていることを特徴とするカードコネクタ。
【請求項２】
上記押圧部によって上記退避路へ押し出された上記ピンを、その退避路から上記溝形往路の始点に復帰移動させるための復帰手段を有する請求項１に記載したカードコネクタ。
【請求項３】
上記溝形往路の始点が上記退避路よりも低位に位置し、上記復帰手段が、上記ボディに設けられて上記退避路よりも幅広で上記溝形往路に向かう下り勾配を有する傾斜面と、上記ピン部材を弾発付勢して上記傾斜面を上記退避路に押し付けるばね体とを有する請求項２に記載したカードコネクタ。
【請求項４】
上記溝形往路の始点と上記退避路とが上記ピンを摺動させる傾斜面で連絡されている請求項１ないし請求項３のいずれか１項に記載したカードコネクタ。
【請求項５】
上記溝形復路が、その始点である上記係止部から側方へ突き出した迂回部とその迂回部から後方へ伸び出た復路主部とを有し、上記ピンが上記係止部に係止されているときに、上記係合体が上記弾性体による付勢に抗して側方へ退避するのに伴って上記押圧部が上記ピン部材を押すことにより上記ピンを上記迂回部を通して上記復路主部に押出し可能になっている請求項１ないし請求項４のいずれか１項に記載したカードコネクタ。
【請求項６】
上記溝形復路において、上記迂回部と上記復路主部との境界箇所に、上記ピンが復路主部から迂回部に逆戻りすることを阻止する段差部が備わっている請求項５に記載したカードコネクタ。
【請求項７】
上記カム部が上記ボディに設けられ、上記ピン部材が上記スライダに取り付けられている請求項１ないし請求項６のいずれか１項に記載したカードコネクタ。
【請求項８】
ばね板でなる上記弾性体と、そのばね板の先端部に連設された山形部でなる上記係合体と、その山形部に連設された突片でなる上記押圧部とを一体に備えた板金ユニットが上記スライダに取り付けられている請求項７に記載したカードコネクタ。
【請求項９】
上記板金ユニットに上記ばね体が一体に連設されている請求項８に記載したカードコネクタ。
【発明の詳細な説明】
【０００１】
【発明の属する技術分野】
本発明は、カードコネクタ、特にカードのセット位置への挿入とセット位置からの排出とを、所謂プッシュ・プッシュ操作によって行うようになっているカードコネクタに関する。
【０００２】
【従来の技術】
この種のカードコネクタが特開２００１−１８５２８６号公報（先行例）に記載されており、このものを図１６〜図１８を参照して説明する。図１６及び図１７は上記公報に記載されているカードコネクタの要部を示した水平部分断面図、図１８はカム溝形状を示した説明図である。
【０００３】
カード１００が挿抜されるボディ２００にスライダ３００が前後にスライド自在に保持されていると共に、このスライダ３００がばね３１０によって常時後方に向けて弾発付勢されている。スライダ３００には、ボディ２００に挿入されてきたカード１００に係合する係合面３２０や、カード１００の裏面側の凹入部１１２に嵌まり込む板片部３２１が設けられていて、カード１００がボディ２００に正規姿勢で挿入されてくると、カード１００が上記係合面３２０に係合し、ばね３１０の付勢に抗してスライダ３００を前方（矢印Ｆ）へスライドさせる。
【０００４】
スライダ３００には、弾性を有する線材でなるピン部材３５０が片持ち状に取り付けられている。このピン部材３５０は、中間部に係合体３３０が凸形状に折曲げ形成され、かつ、先端にピン３４０が折曲げ形成されている。これに対し、ボディ２００には上記ピン３４０を案内するカム溝３６０を備えたカム部３７０が一体に設けられ、また、上記カード１００の幅方向片側の裏面側に凹所１１０が備わり、かつ、このカード１００の前端コーナ部の裏面側に凹入部１１２が備わっている。そして、上記カム部３７０と上記ピン部材３３０との組み合わせによってカム機構が形成されている。
【０００５】
図１８のように、カム溝３６０は、ピン３４０をカム部３７０の前方（図１６の矢印Ｆ方向に一致する）へ案内する溝形往路３６１と、その溝形往路３６１の終点に位置してピン部材３４０を係止する係止部３６２と、その係止部３６２を始点としてピン部材３４０をカム部３７０の後方へ案内することにより溝形往路３６１の始点に導く溝形復路３６３とを有し、溝形往路３６１の終点近傍箇所、溝形復路３６３の始点近傍箇所、溝形復路３６３の溝形往路３６１に対する合流箇所には、ピン３４０の逆行きを防ぐ段差部３６４，３６５，３６６，３６７がそれぞれ備わっている。
【０００６】
このカードコネクタにおいて、カード１００が正規姿勢でボディ２００に挿入されてきたときには、スライダ３００が初期位置に停止したままの状態で、カード１００の片側端面１０１が係合体３３０を押してピン部材３５０を変位させることによりその係合体３３０を側方へ後退させる。このときのピン部材３５０の変位動作は、ピン３４０が図１８に示した溝形往路３６１の始点に位置している状態で行われ、しかも、この始点位置ではカム溝３６０の幅が十分に広くなっている。そのため、このときのピン部材３５０の変位動作は無理なく行われる。
【０００７】
上記のようにカード１００の片側端面１０１が係合体３３０を押してピン部材３５０を変位させることによりその係合体３３０を側方へ退避させた後、ピン部材３５０の復帰変形によってその係合体３３０をカード１００の凹所１１０に嵌合させると共に、板片部３２１にカード１００の凹入部１１２が嵌まることによってカード１００が初期位置に位置しているスライダ３００の係合面３２０に係合し、その後、カード１００がスライダ３００を初期位置からその前方Ｆへ押し込む。この挿入動作に伴い、ピン３４０がカム溝３６０の溝形往路３６１を経て図１６のように係止部３６２に係止される。この状態では、カード１００の電極（不図示）がボディ２００側の電極（不図示）に接続されている。
【０００８】
上記した先行例に記載されているカードコネクタでは、ボディ２００に正規姿勢でカード１００が挿入されたときには、カード１００の凹所１１０に係合体３３０が嵌合するので、カード１００が後方へ無理やり強く引張られない限り、係合体３３０がカード１００に係合することによってカード１００のスライダ３００からの単独後退が防止されるというハーフロック機能が発揮される。また、ピン３４０がカム溝３６０の係止部３６２に係止されている状態では、スライダ３００の後退が阻止されるというフルロック機能が発揮される。さらに、ピン３４０がカム溝３６０の係止部３６２に係止されているときに、カード１００が後方へ無理やり強く引張られると、カード１００の片側端面１０１が係合体３３０をその退避方向に押してピン部材３５０を変位させるので、ピン３４０が係止部３６２を離れて段差部３６６の外側へ押し出されるというフルロック解除機能が発揮される。そのため、ピン３４０が溝形復路３６３を経て溝形往路３６１の始点まで戻り、それに伴ってスライダ３００が初期位置に復帰する。
【０００９】
これに対し、ボディ２００にカード１００が裏返し姿勢で挿入されてきたときには、図１７に示したように、カード１００の他側端面１０２が係合体３３０に乗り上がって係合体３３０を側方へ退避させることがあり、そのようになると、係合体３３０が図示のように側方へ退避したままカード１００がスライダ３００を初期位置から前方Ｆへ押し込んでいくことになる。そのようになると、ピン３４０が幅狭の溝形往路３６１に入って同図のようにその溝壁３６１ａに押し付けられることになり、ピン部材３５０に無理な変形が強いられることになる。
【００１０】
【発明が解決しようとする課題】
しかしながら、上記のようにボディ２００にカード１００が裏返し姿勢で挿入されてきたカード１００の他側端面１０２が係合体３３０に乗り上がって係合体３３０を退避させることによって、ピン３４０がカム溝３６０の溝形往路３６１を通過中にピン部材３５０に無理な変形が強いられると、そのことが原因で、ピン部材３５０がいびつに永久変形して上記したハーフロック機能が損なわれてしまうことがある。また、ピン部材３５０がいびつに永久変形してしまうと、上記したフルロック機能も損なわれてしまうことがある。
【００１１】
本発明は以上の状況のもとでなされたものであり、カム部とピン部材との組合せでなるカム機構を採用してプッシュ・プッシュ操作を可能にしていながら、カードが裏返し姿勢で挿入されたときでも、ピン部材に無理な変形が強いられないようにすることによって、ハーフロック機能やフルロック機能が損なわれるという事態の起きるおそれのないカードコネクタを提供することを目的とする。
【００１２】
【課題を解決するための手段】
本発明に係るカードコネクタは、カードが挿入されるボディに、このボディに挿入されてきたカードに係合して前方へ押し込まれるスライダが、後方に向けて弾発付勢された状態で前後にスライド自在に保持されている。また、カム部とこのカム部に倣うピンを備えたピン部材との組み合わせでなるカム機構の上記カム部と上記ピン部材とが上記スライダと上記ボディとに振り分けて配備され、上記カム部は、上記ピンをこのカム部の前方へ案内する溝形往路と、その溝形往路の終点に位置して上記ピンを係止する係止部と、その係止部を始点として上記ピンをこのカム部の後方へ案内することにより上記ピン部材に無理な変形を強いることなく上記溝形往路の始点に導く溝形復路とを有している。さらに、上記スライダに、正規姿勢でボディに挿入された上記カードの幅方向片側に設けられている凹所に嵌合してそのカードをスライダに対して位置決めする係合体とこの係合体を上記凹所に対する嵌入方向に常時付勢する弾性体とが設けられていると共に、上記係合体が、正規姿勢でボディに挿入されてきたカードの幅方向片側端面を乗り上がらせるための後側ガイド面と、この係合体が上記凹所に嵌合している状態からカードがスライダの後方へ引張られたときにそのカードの幅方向片側端面を乗り上がらせるための前側ガイド面とを有してなる。そして、上記係合体の後側ガイド面は、上記係合体が裏返し姿勢でボディに挿入されてきたカードの幅方向他側端面を乗り上がらせる機能を有し、上記カム部に、上記溝形復路に連続して上記溝形往路の始点の側部に至る退避路が追加されていると共に、上記ボディに裏返し姿勢で挿入されてきたカードの幅方向他側端面を乗り上がらせた上記係合体が上記弾性体による付勢に抗して側方へ退避するのに伴って、上記ピン部材を押して上記溝形往路の始点に位置する上記ピンを上記退避路へ押し出す押圧部が、その係合体に設けられている。
【００１３】
この発明によると、カードが正規姿勢でボディに挿入されたときには、図１６で説明したものとほゞ同様の作用が行われ、ハーフロック機能やフルロック機能が正常に発揮される。これに対し、カードが裏返し姿勢でボディに挿入されたときには、スライダが初期位置で停止しているときに、カードの幅方向他側端面が係合体に乗り上ってその係合体を弾性体の付勢に抗して側方へ退避させるので、その係合体に設けられている押圧部がピン部材を押して溝形往路の始点に位置するピンを退避路へ押し出してそのピンを退避路に位置させる。このため、その後にスライダがカードに押されて初期位置からその前方へ押し込まれたときには、ピンが退避路を移動して溝形復路に入り、その溝形復路を移動する。このときにピン部材に無理な変形が強いられるという事態は起こらないので、ピン部材が永久変形してしまってハーフロック機能やフルロック機能が損なわれるという事態は起こらない。
【００１４】
本発明では、上記押圧部によって上記退避路へ押し出された上記ピンを、その退避路から上記溝形往路の始点に復帰移動させるための復帰手段を有することが望ましい。これによれば、カードがボディに裏返し姿勢で挿入されてピンが退避路に押し出されたとしても、そのカードをボディから引き抜くと、復帰手段によってピンが溝形往路の始点に復帰移動させられるので、カードを正規姿勢でボディに挿入することによって、ハーフロック機能やフルロック機能が発揮されるようになる。
【００１５】
本発明では、上記溝形往路の始点が上記退避路よりも低位に位置し、上記復帰手段が、上記ボディに設けられて上記退避路よりも幅広で上記溝形往路に向かう下り勾配を有する傾斜面と、上記ピン部材を弾発付勢して上記傾斜面を上記退避路に押し付けるばね体とを有するという構成を採用することが望ましい。これによれば、カードがボディに裏返し姿勢で挿入されてピンが退避路に押し出されたとしても、そのカードをボディから引き抜くと、ピンが退避路から溝形復路の始点に自然に復帰移動する。そのため、部品点数を増やさずに復帰手段を構成することが可能になる。
【００１６】
本発明では、上記溝形往路の始点と上記退避路とが上記ピンを摺動させる傾斜面で連絡されていることが望ましい。これによれば、カードがボディに裏返し姿勢で挿入されたときには、ピンが溝形復路の始点から傾斜面を滑り上がって退避路にスムーズに押し出される。そのため、ピン部材に無理な変形が強いられることはない。また、カードがボディに裏返し姿勢で挿入されてピンが退避路に押し出された後では、そのカードをボディから引き抜くと、ピンが退避路から傾斜面を滑って溝形復路の始点に自然に復帰移動する。
【００１７】
本発明では、上記溝形復路が、その始点である上記係止部から側方へ突き出した迂回部とその迂回部から後方へ伸び出た復路主部とを有し、上記ピンが上記係止部に係止されているときに、上記係合体が上記弾性体による付勢に抗して側方へ退避するのに伴って上記押圧部が上記ピン部材を押すことにより上記ピンを上記迂回部を通して上記復路主部に押出し可能になっていることが望ましい。これによれば、ピンが係止部に係止されているフルロック状態からカードを強く引張ってスライダから後方へ引き抜くと、そのカードの片側端面が係合体に乗り上がってその係合体を弾性体による付勢に抗して側方へ退避させるので、押圧部がピン部材を押してピンを迂回部を通して復路主部に押し出すというフルロック解除機能が発揮される。そのため、ピンが溝形復路を経て溝形往路の始点まで戻り、それに伴ってスライダが初期位置に復帰する。
【００１８】
本発明では、上記溝形復路において、上記迂回部と上記復路主部との境界箇所に、上記ピンが復路主部から迂回部に逆戻りすることを阻止する段差部が備わっていることが望ましく、これによれば、フルロック機能が一旦解除されると、再びピンが復路主部から迂回部に逆戻りして係止部に係止されてフルロック状態になるという事態が防止される。
【００１９】
本発明では、上記カム部が上記ボディに設けられ、上記ピン部材が上記スライダに取り付けられているという構成を採用することができる。
【００２０】
本発明では、ばね板でなる上記弾性体と、そのばね板の先端部に連設された山形部でなる上記係合体と、その山形部に連設された突片でなる上記押圧部とを一体に備えた板金ユニットが上記スライダに取り付けられている、という構成を採用することが可能であり、これによると、弾性体と係合体と押圧部とが板金ユニットという単一部品によって形成されるので、部品点数の増大が抑制され、しかも、組立工数も削減される。
【００２１】
本発明では、復帰手段を形成しているばね体が上記板金ユニットに一体に連設されていることが望ましく、これによれば、弾性体と係合体と押圧部に加えて、ばね体も板金ユニットという単一部品によって形成されるので、部品点数の増大がさらに抑制され、組立工数もさらに削減される。
【００２２】
【発明の実施の形態】
図１は本発明のカードコネクタの実施形態の平面図、図２は図１のＩＩ−ＩＩ線に沿う部分の拡大断面図である。
【００２３】
図１及び図２において、このカードコネクタのボディ１は電気絶縁性に優れた合成樹脂成形体で作られており、後端部にカード１００の挿入口１１を有し、かつ、その挿入口１１にはカード１００が出し入れされる際にそのカード１００に追従して矢印Ａのように開閉動されるシャッタ１２が取り付けられている。１３はシャッタ１２の回動中心を形成している軸部である。このボディ１において、挿入口１１の形成箇所を除く部分は、上面が開放されていて、その開放部分が、ボディ１に被せて取り付けられた電磁シールド性を発揮する金属製のカバー１４で塞がれている。
【００２４】
図３はカバー１４（図１参照）を取り除いたボディ１にカード１００が正規姿勢で挿入されている状態を示した一部破断平面図である。図３のように、ボディ１は、ボディ１の前壁１５に所要極数の接片部材１６…が間隔を隔てて左右方向Ｗに並べて取り付けられ、それぞれの接片部材１６が前壁１５の後方のカード挿入空間の内部に延び出ている。これらの接片部材１６の先端部の接点１８は、ボディ１の適正箇所まで挿入されたカード１００の電極形成領域１１３に形成されている所要極数の電極（不図示）に個別に弾接するようになっている。また、それぞの接片部材１６の前端は、前壁１５の前方へ突き出た半田付け用の端子部１９を形成している。また、ボディ１の片側側部にスライダ２やカム機構４が配備されている。
【００２５】
図４はカム機構４を形成しているカム部４１のカム溝形状を示した説明図、図５はスライダ２と後述するカム機構を形成するためのピン部材５や板金ユニット６を示した概略斜視図、図６はスライダ２にピン部材５と板金ユニット６とを取り付けた状態の側面図、図７は図４のＶＩＩ−ＶＩＩ線拡大断面図、図８は図４のＶＩＩＩ−ＶＩＩＩ線拡大断面図である。
【００２６】
図３、図５又は図６のように、スライダ２は前後に細長い形状の合成樹脂成形体で作られている。このスライダ２はその内側にカード（ＩＣカードなど）１００の幅方向片側端面１０１を支える支持面２１と、この支持面２１に連続して前方へ湾曲状に延び出た係合面２２とを有しており、ボディ１に挿入されたカード１００の湾曲状に形成された先端片側コーナ部１０３が係合面２２に突き当たってスライダ２に係合するようになっている。また、スライダ２には、その下部に板片部２３が後向きに突出されている。さらに、このスライダ２には、図５のように外向きに開放した前後に長い凹入部２４が備わっており、この凹入部２４を形作っている下板部２５に、上記ピン部材５の基部に直角に折曲げ形成された軸部５１が回転自在に挿入される孔部２６が形成され、かつ、その孔部２６よりも前側に、上記ピン部材５の前端に直角に折曲げ形成されたピン５２の左右方向Ｗの揺動を許容するスリット状の切込み部２７が形成されている。そして、図６のように、ピン部材５の軸部５１が上記孔部２６に回転自在に差し込まれ、ピン５２が切込み部２７に配備される。
【００２７】
図５又は図６のように、板金ユニット６は、１枚の金属板に機械加工を施すことによって製作されていて、斜め下向きに延び出たばね体６１と、このばね体６１よりも内側位置でこのばね体６１に対する遠近方向に弾性変形可能な弾性片部６２と、この弾性片部６２の先端部を山形に折り曲げることによって形成された係合体６３と、この係合体６３の先端部に連設されて外向きに突き出た押圧部６４とを一体に備えていると共に、上記ばね体６１の基部に延設されて下向き折返し状に形成された軸押え部６５を一体に備えている。
【００２８】
この板金ユニット６は図６のようにスライダ２の凹入部２４に嵌め込まれる。凹入部２４に板金ユニット６が嵌め込まれた状態では、同図のように、ばね体６１の先端に具備されている湾曲部６６がピン部材５を下方に弾圧していると共に、軸押え部６５がピン部材５の軸部５１に対峙してその軸部５１が浮き上がって孔部２６から抜け出ることを防いでいる。また、図３で判るように、係合部６３が、上記凹入部２４を形作っている内板部２８に開設されている開口２９から内方（凹入部２４の外側）へ突き出ていると共に、押圧部６４がピン部材５に内側から臨んでいる。
【００２９】
ピン部材５と板金ユニット６とが組み付けられたスライダ２は、図３のように、ボディ１の片側側部に前後スライド自在に保持され、しかも、スライダ２とボディ１との間に介在されたコイルばねでなるばね７によって常時後方に弾発付勢されている。なお、スライダ２の初期位置は、スライダ２がボディ１側の当り面１７に当接することによって規制されるようになっている。
【００３０】
カム部４１は、ボディ１の片側側部にボディ１と一体に設けられていて、上記したピン部材５と共にカム機構４を形成しており、図４に示した形状のカム溝４２を備えていて、このカム溝４２に上記ピン５２が倣うようになっている。カム溝４２は、ピン５２をカム部４１の前方Ｆへ案内する溝形往路４３と、その溝形往路４３の終点に位置してピン５２を係止する段付状の係止部４４と、その係止部４４を始点としてピン５２をカム部４１の後方へ案内することによりピン部材５（図５など参照）に無理な変形を強いることなく溝形往路４３の始点Ｐに導く溝形復路４５とを有していて、溝形復路４５が溝形往路４３よりも外側に位置している。このうち、溝形往路４３は、その始点位置から斜め内側に延び出た斜行部４３ａや迂回部４３ｂを経て終点（係止部４４）に至り、溝形復路４５は、係止部４４からその外側方へ突き出した迂回部４５ａとその迂回部４５ａから後方へまっすぐに延び出た復路主部４５ｂとを有している。また、溝形復路４５のまっすぐな復路主部４５ｂにまっすぐに連続して、溝形往路４３の始点Ｐの側部に至る退避路４６が追加されていると共に、図７のように、溝形往路４３の始点Ｐが退避路４６よりも低位に位置し、しかも、溝形往路４３の始点Ｐと退避路４６とが傾斜面４７で連絡されている。この傾斜面４７は、溝形往路４３の始点Ｐに位置するピン５２が外側に押されたときには、そのピン５２を摺動させて退避路４６に乗り上がらせたり、退避路４６に乗り上がっているピン５２を摺動させて溝形往路４３の始点Ｐまで移動させる機能を備えている。
【００３１】
上記形状のカム溝４２において、溝形往路４３の迂回部４３ｂの起点、係止部４４を挟む両側、溝形復路４５の溝形往路４３に対する合流箇所には、ピン５２の逆行きを防ぐ段差部３１，３２，３３，３４がそれぞれ備わっている。図８には、迂回部４５ａと復路主部４５ｂとの境界箇所に形成されている段差部３３を示している。
【００３２】
これに対し、上記ピン５２は図７に示したように、その先端（下端）の外周縁が、上記退避路４６よりも幅広でかつ上記溝形往路４３に向かう下り勾配を有する湾曲面（アール面）でなる傾斜面５３に加工されている。このため、図７の矢印ｆで示したように、図６などで説明したばね体６１の湾曲部６６によってピン部材５が押し付けられてピン５２の傾斜面５３が退避路４６に押し付けられると、ピン５２が退避路４６から溝形往路４３の始点Ｐまで移動する。
【００３３】
図９〜図１５はスライダ２やカム機構４の作用を示した説明図である。これらうち、図１０や図１３や図１４に示したように、係合体６３が弾性片部６２の付勢に抗して側方へ退避させられたときには、押圧部６４がピン部材５を押してピン５２がカム溝４２の溝形復路４５の位置に達するまで変位することが可能になっている。
【００３４】
次に、図１５のように、ＩＣカードなどのカード１００の前側の先端片側コーナ部１０３の裏面側に凹入部１０４が形成されている。また、このカード１００の幅方向片側端面１０１には凹所１０６が形成されている。
【００３５】
ここで、ばね７によってスライダ２を後方に弾発付勢するばね力は、弾性片部６２によって弾発付勢された係合体６３をスライダ２の側方へ退避させるのに要する力よりも大きくなっている。
【００３６】
次に作用などを説明する。
初期位置に位置しているスライダ２は、図９のようにボディ１側の当り面１７にばね７の付勢力によって弾圧することによって位置規制されている。
【００３７】
スライダ４が初期位置に位置決めされているときに、ボディ１にカード１００が正規姿勢で前向きに挿入されてくると、スライダ２の支持面２１から内方へ突き出ている係合体６３の傾斜した後側ガイド面６３ａにカード１００の先端片側コーナ部１０３が突き当たった後、そのカード１００の片側端面１０１が図１０のように係合体６３に乗り上がって係合体６３を外側方へ退避させた後、カード１００の片側端面１０１が係合体６３を乗り越えて図１１のように凹所１０６に係合体６３を嵌合させる。この間において、係合体６３が退避させられたときには、図１０のように、押圧部６４がピン部材５を押してカム溝４２の溝形往路４３の始点Ｐに位置しているピン５２を傾斜面４７上で摺動させて退避路４６へ押し出すけれども、こうして退避路４６へ押し出されたピン５２は、係合体６３が凹所１０６に嵌合することにより押圧部６４が内方へ変位するのに伴って、ピン５２の傾斜面５３がばね体６１の付勢による作用で退避路４６から傾斜面４７を滑り落ちて溝形往路４３の始点Ｐに復帰移動する（図７参照）。
【００３８】
図１１のように、係合体６３がカード１００の凹所１０６に嵌合すると、カード１００が後方へ無理やり強く引張られない限り、係合体６３が凹所１０６の内部でカード１００に係合することによってカード１００のスライダ２からの単独後退が防止されるというハーフロック機能が発揮される。また、スライダ２側の板片部２３がカード１００の凹入部１０４に嵌まるので、カード１００の先端片側コーナ部１０３がスライダ２の係合部２２に突き当たる。
【００３９】
この後、カード１００をプッシュしてカード１００と共にスライダ２をばね７の付勢に抗して前方Ｆへ押し込んでいくと、スライダ２に追従するピン部材５のピン５２が、カム溝４２の溝形往路４３を無理なく前方Ｆへ移動して図４で説明した迂回部４３ｂの前端に突き当る。このときに、カード１００に対するプッシュ作用を解放すると、ばね７の力でスライダ２が後方へ押し戻され、図１２のように、ピン５２が迂回路４３ｂを通って溝形往路４３の終点まで達し、係止部４４に係止される。このときには、カード１００をハーフロックしているスライダ２の後退が阻止されるというフルロック機能が発揮され、図１のようにカード１００の電極に、ボディ１側の接片部材１６の接点１８が弾接する。
【００４０】
フルロック状態から、カード１００が図１３の矢印Ｒのように引抜き方向に強く引っ張られると、係合体６３の傾斜した前側ガイド面６３ｂの作用でカード１００の片側端面１０１が図１３のように係合体６３に乗り上がって係合体６３が外側方へ退避させられてハーフロック状態が解除され、それに伴って、押圧部６４がピン部材５を押して溝形往路４３の終点で係止部４４に係止されていたピン５２を図１３のように迂回路４５ａを経て溝形復路４５の復路主部４５ｂに押し出すので、フルロック状態が解除される。
【００４１】
こうしてフルロック状態が解除されると、スライダ２はばね７の付勢によって後方へ移動し、それに伴ってピン５２が溝形復路４５から退避路４６まで移動して溝形往路４３の始点Ｐまで復帰移動する（図７参照）。また、スライダ２は図９に示した初期位置に復帰する。
【００４２】
次に、図１４のように、カード１００が裏返し姿勢でボディ１に挿入されたときには、スライダ２が初期位置で停止しているときに、カード１００の幅方向他側端面１０２が係合体６３に乗り上ってその係合体６３を弾性片部６２の付勢に抗して側方へ退避させる。このため、押圧部６４がピン部材５を押し、溝形往路４３の始点Ｐに位置するピン５２を傾斜面４７を経て退避路４６へ押し出してそのピン５２を退避路４６に位置させる。したがって、その後にスライダ２がカード１００に押されて初期位置からその前方へ押し込まれたときには、ピン５２が退避路４６を移動して溝形復路４５に入り、その溝形復路４５を前方Ｆへ移動する。このときにピン部材５に無理な変形が強いられるという事態は起こらない。また、溝形復路４５の復路主部４５ｂと迂回路４５ａとの間にはピン５２の逆行きを防ぐ段差部３３が形成されているので、ピン５２が溝形復路４５の始点に達して係止部４４に係止されることによりフルロックされてしまうという事態も起こらない。
【００４３】
使用者は、カード１００を裏返し姿勢に挿入したことに気付いた後、一旦カード１００を抜き出し、正規姿勢でそのカード１００をボディ１に挿入するようにすると、図９〜図１２で説明した作用が行われ、カード１００がスライダ２にハーフロックされ、その後に、スライダ２がフルロックされる。
【００４４】
【発明の効果】
本発明によれば、カム部とピン部材との組合せでなるカム機構を採用してプッシュ・プッシュ操作を可能にしていながら、カードが裏返し姿勢で挿入されたときでも、ピン部材に無理な変形が強いられなくなるので、ハーフロック機能やフルロック機能が損なわれるという事態の起きるおそれのないカードコネクタを提供することが可能になる。したがって、カードコネクタの薄形化に伴ってピン部材を極細の線材で製作しなければならないような場合でも、信頼性の高いハーフロック機能やフルロック機能を具備させることが可能になる。
【図面の簡単な説明】
【図１】  本発明のカードコネクタの実施形態の平面図である。
【図２】  図１のＩＩ−ＩＩ線に沿う部分の拡大断面図である。
【図３】  カバーを取り除いたボディにカードが正規姿勢で挿入されている状態を示した一部破断平面図である。
【図４】  カム溝形状を示した説明図である。
【図５】  スライダ、ピン部材、板金ユニットを示した概略斜視図である。
【図６】  スライダにピン部材と板金ユニットとを取り付けた状態の側面図である。
【図７】  図４のＶＩＩ−ＶＩＩ線拡大断面図である。
【図８】  図４のＶＩＩＩ−ＶＩＩＩ線拡大断面図である。
【図９】  スライダの初期位置を示す説明図である。
【図１０】  カード挿入の初期段階を示した説明図である。
【図１１】  カード挿入のハーフロック状態を示した説明図である。
【図１２】  フルロック状態を示した説明図である。
【図１３】  フルロックが解除された状態を示した説明図である。
【図１４】  カードが裏返し姿勢で挿入された状態の説明図である。
【図１５】  カードを裏面側から見た要部の斜視図である。
【図１６】  従来のカードコネクタのフルロック状態の説明図である。
【図１７】  従来のカードコネクタにカードが裏返し姿勢で挿入された状態の説明図である。
【図１８】  従来のカードコネクタに採用されたカム溝形状を示した説明図である。
【符号の説明】
１  ボディ
２  スライダ
４  カム機構
５  ピン部材
６  板金ユニット
３３  段差部
４１  カム部
４３  溝形往路
４４  係止部
４５  溝形復路
４５ａ  迂回部
４５ｂ  復路主部
４６  退避路
４７  傾斜面
５２  ピン
５３  傾斜面（復帰手段）
６１  ばね体（復帰手段）
６２  弾性片部（弾性体）
６３  係合体
６３ａ  後側ガイド面
６３ｂ  前側ガイド面
６４  押圧部
１００  カード
１０１  カードの幅方向片側端面
１０６  凹所
【図１】
0003774661.tif 000002
【図２】
0003774661.tif 000003
【図３】
0003774661.tif 000004
【図４】
0003774661.tif 000005
【図５】
0003774661.tif 000006
【図６】
0003774661.tif 000007
【図７】
0003774661.tif 000008
【図８】
0003774661.tif 000009
【図９】
0003774661.tif 000010
【図１０】
0003774661.tif 000011
【図１１】
0003774661.tif 000012
【図１２】
0003774661.tif 000013
【図１３】
0003774661.tif 000014
【図１４】
0003774661.tif 000015
【図１５】
0003774661.tif 000016
【図１６】
0003774661.tif 000017
【図１７】
0003774661.tif 000018
【図１８】
0003774661.tif 000019